(57)【要約】【課題】  Ｅ型止め輪を、一つの工具で飛散させずに取り外すことができ、保管も容易にできるようにする。【解決手段】  Ｅ型止め輪除去工具のホルダ１にガイドカバー部１０を設け、除去したＥリングを収納するボックス１１を全体として着脱可能に取り付ける。ボックス１１内は複数の収納部１１ａに仕切って区分し、サイズごとにＥリングを収納する。ボックス１１の頂面には落下防止ストッパ１２を着脱可能とする。落下防止ストッパ１２は、先端上部にストッパ部１２ａを備え、それに連なる斜面部１２ｂと基部１２ｄとで取り外したＥリングをボックス１１内へ導き入れ、Ｅリングのサイズごとに複数の収納部１１ａのいずれかに収納、保管する。【選択図】        図４
2006055959.tif 000002
【特許請求の範囲】
【請求項１】
軸部に装着したＥ型止め輪を除去するため、先端部をＥ型止め輪の装着開口部内側へ挿入可能で、該装着開口部を拡開させ得る除去部材を備えるＥ型止め輪除去工具であって、除去したＥ型止め輪を保持するための保持手段を有することを特徴とするＥ型止め輪除去工具。
【請求項２】
請求項１のＥ型止め輪除去工具において、前記保持手段が、前記除去したＥ型止め輪を複数個保持可能であることを特徴とするＥ型止め輪除去工具。
【請求項３】
請求項１または２のＥ型止め輪除去工具において、前記保持手段が、前記除去したＥ型止め輪をそのサイズごとに保持可能であることを特徴とするＥ型止め輪除去工具。
【請求項４】
請求項１ないし３のいずれかのＥ型止め輪除去工具において、前記保持手段を着脱可能に備えることを特徴とするＥ型止め輪除去工具。
【請求項５】
軸部に装着したＥ型止め輪を除去するため、先端部をＥ型止め輪の装着開口部内側へ挿入可能で、該装着開口部を拡開させ得る除去部材を備えるＥ型止め輪除去工具であって、除去したＥ型止め輪を１個以上保持可能な収納ボックスを有することを特徴とするＥ型止め輪除去工具。
【請求項６】
請求項５のＥ型止め輪除去工具において、前記収納ボックスが、前記除去したＥ型止め輪をそのサイズごとに保持する収納部を有することを特徴とするＥ型止め輪除去工具。
【請求項７】
請求項５または６のＥ型止め輪除去工具において、前記収納ボックスを着脱可能に備えることを特徴とするＥ型止め輪除去工具。
【請求項８】
軸部に装着したＥ型止め輪を除去するため、先端部をＥ型止め輪の装着開口部内側へ挿入可能で、該装着開口部を拡開させ得る除去部材を備えるＥ型止め輪除去工具であって、除去したＥ型止め輪を１個以上保持可能な収納ボックスを前記除去部材に対して着脱可能に備えるとともに、除去したＥ型止め輪を複数個保持可能に前記収納ボックスを区分して収納部を形成してなることを特徴とするＥ型止め輪除去工具。
【請求項９】
請求項８のＥ型止め輪除去工具において、前記収納ボックスが、前記収納部を開閉可能とする蓋を含むことを特徴とするＥ型止め輪除去工具。
【請求項１０】
請求項８または９のＥ型止め輪除去工具において、前記収納ボックスが、除去したＥ型止め輪の落下防止ストッパを有することを特徴とするＥ型止め輪除去工具。
【請求項１１】
請求項１０のＥ型止め輪除去工具において、前記落下防止ストッパが、前記除去したＥ型止め輪を前記収納ボックス内へガイドするガイド部を有し、該ガイド部を前記収納ボックス内に装着可能としてなることを特徴とするＥ型止め輪除去工具。
【請求項１２】
請求項１１のＥ型止め輪除去工具において、前記落下防止ストッパのガイド部が、前記区分形成した前記収納部内に前記除去したＥ型止め輪をそのサイズに応じて落下させるガイド穴を複数有することを特徴とするＥ型止め輪除去工具。
【請求項１３】
請求項１２のＥ型止め輪除去工具において、前記複数のガイド穴が、前記落下防止ストッパ側が最小径であることを特徴とするＥ型止め輪除去工具。
【発明の詳細な説明】
【技術分野】
【０００１】
本発明は、画像形成装置等において長軸やローラ等のスラスト方向の締結のために使用されているＥ型止め輪を飛び散らないように除去、収納保持できるようにしたＥ型止め輪除去工具に関する。
【背景技術】
【０００２】
Ｅ型止め輪（通称Ｅリング）は、丸棒等の軸部材に形成した環状の溝に、工具や指先等で押し込んで嵌めることによって、例えばローラのスラスト方向の締結に使用されており、これを取り外すには、ラジオペンチで挟んで引抜いたり、Ｅ型止め輪と軸部材との空隙にマイナスツマミドライバの先端を差し込んでこじる等していた。
【０００３】
しかし、このような従来のＥ型止め輪の抜取り方法では、Ｅ型止め輪が軸から外れた際に飛び散り、装置内や床面上等に落下してしまうことがあった。すなわち、一般に長軸及びローラ等のスラスト方向の締結のために使用されているＥ型止め輸の特性として、取り除くという行為の反動で長軸等から勢いよく飛んでしまう傾向にある。そのため取り除いたＥ型止め輪を紛失したり、飛ぶ方向によっては人体の目、口等に甚大な影響を及ぼす危険性もあった。
【０００４】
また、長軸やローラ等が機械の奥まった箇所に存在する場合は、取り除いたＥ型止め輪を受け止める手立てがなく、機械内部に留まる可能性もあり、例えば基板等の電装品上に落下して通電時に電気的ショート、漏電等を引き起こす危険性があり、また駆動部等の上に落下したときは、機械の始動時に異音や駆動部品の損傷を引き起こすこともあった。
【０００５】
したがって従来、Ｅ型止め輪を取り除く作業には、Ｅ型止め輪を外した後に飛んでしまったＥ型止め輪を回収し、清掃等を行う必要があるので作業効率としても決して高いものではなかった。すなわち装置内へ飛び散ったままにしておくと種々の装置障害が発生し得るため、必ず飛散したＥ型止め輪は回収しなければならないが、勢いよく飛散すると、なかなか発見できないような箇所にまで飛び、加工時間や工数の増加につながっていた。また、飛散した際に他の部品等を損傷する場合があり、抜取り時間や工数が増えだけでなく、製品の品質に影響を及ぼすこともあった。
【０００６】
そこで、Ｅ型止め輪や飛散させずに取り外すことができるとする止め輪の抜取り工具が提案されている（特許文献１参照）。
【特許文献１】特開平８−１１８２５３号公報
【発明の開示】
【発明が解決しようとする課題】
【０００７】
上述の技術では、軸から外れたＥ型止め輪を飛散する前に吸着する永久磁石を備えるようにしているが、勢いよく飛んでしまう傾向にあるＥ型止め輪を、その飛散を食い止めつつ磁石に吸着するにはかなり大きな磁力が必要であり、吸着できない場合も多いと考えなければならず、他の手段による保持が可能な工具の提案が希求されていた。
【０００８】
本発明は、Ｅ型止め輪を簡便に取り外すことができ、作業性もよく、工具の保管も確実かつ容易で、操作も単純、簡単であり、小型化も図れるＥ型止め輪除去工具を提供することを目的とする。
【課題を解決するための手段】
【０００９】
本発明の請求項１に係るＥ型止め輪除去工具は、部に装着したＥ型止め輪を除去するため、先端部をＥ型止め輪の装着開口部内側へ挿入可能で、該装着開口部を拡開させ得る除去部材を備えるＥ型止め輪除去工具であって、除去したＥ型止め輪を保持するための保持手段を有することを特徴とする。
【００１０】
同請求項２に係るものは、請求項１のＥ型止め輪除去工具において、前記保持手段が、前記除去したＥ型止め輪を複数個保持可能であることを特徴とする。
【００１１】
同請求項３に係るものは、請求項１または２のＥ型止め輪除去工具において、前記保持手段が、前記除去したＥ型止め輪をそのサイズごとに保持可能であることを特徴とする。
【００１２】
同請求項４に係るものは、請求項１ないし３のいずれかのＥ型止め輪除去工具において、前記保持手段を着脱可能に備えることを特徴とする。
【００１３】
同請求項５に係るものは、軸部に装着したＥ型止め輪を除去するため、先端部をＥ型止め輪の装着開口部内側へ挿入可能で、該装着開口部を拡開させ得る除去部材を備えるＥ型止め輪除去工具であって、除去したＥ型止め輪を１個以上保持可能な収納ボックスを有することを特徴とする。
【００１４】
同請求項６に係るものは、請求項５のＥ型止め輪除去工具において、前記収納ボックスが、前記除去したＥ型止め輪をそのサイズごとに保持する収納部を有することを特徴とする。
【００１５】
同請求項７に係るものは、請求項５または６のＥ型止め輪除去工具において、前記収納ボックスを着脱可能に備えることを特徴とする。
【００１６】
同請求項８に係るものは、軸部に装着したＥ型止め輪を除去するため、先端部をＥ型止め輪の装着開口部内側へ挿入可能で、該装着開口部を拡開させ得る除去部材を備えるＥ型止め輪除去工具であって、除去したＥ型止め輪を１個以上保持可能な収納ボックスを前記除去部材に対して着脱可能に備えるとともに、除去したＥ型止め輪を複数個保持可能に前記収納ボックスを区分して収納部を形成してなることを特徴とする。
【００１７】
同請求項９に係るものは、請求項８のＥ型止め輪除去工具において、前記収納ボックスが、前記収納部を開閉可能とする蓋を含むことを特徴とする。
【００１８】
同請求項１０に係るものは、請求項８または９のＥ型止め輪除去工具において、前記収納ボックスが、除去したＥ型止め輪の落下防止ストッパを有することを特徴とする。
【００１９】
同請求項１１に係るものは、請求項１０のＥ型止め輪除去工具において、前記落下防止ストッパが、前記除去したＥ型止め輪を前記収納ボックス内へガイドするガイド部を有し、該ガイド部を前記収納ボックス内に装着可能としてなることを特徴とする。
【００２０】
同請求項１２に係るものは、請求項１１のＥ型止め輪除去工具において、前記落下防止ストッパのガイド部が、前記区分形成した前記収納部内に前記除去したＥ型止め輪をそのサイズに応じて落下させるガイド穴を複数有することを特徴とする。
【００２１】
同請求項１３に係るものは、請求項１２のＥ型止め輪除去工具において、前記複数のガイド穴が、前記落下防止ストッパ側が最小径であることを特徴とする。
【発明の効果】
【００２２】
本発明に係るＥ型止め輪除去工具は、軸等の被締結部材に締結してある種々のサイズのＥ型止め輪を、一つの工具で飛散させずに取り外すことができ、保管も容易にできるようになる。
【発明を実施するための最良の形態】
【００２３】
以下本発明を実施するための最良の形態を、図に示す実施例を参照して説明する。
【実施例１】
【００２４】
図１は本発明の実施対象となるＥ型止め輪除去工具の一例の基本構造を示す平面図（Ａ）、ホルダ、ガイド及びスペーサの部分の側面図（Ｂ）及びガイド先端の正面図（Ｃ）、図２は先端部分の拡大平面図である。また図３はホルダ、ガイド、スペーサ及び取手の分解平面部分断面図である。
【００２５】
本例のＥ型止め輪除去工具は、例えば画像形成装置に用いるローラ軸８の環状溝８ａに取り付けたＥ型止め輪（以下ではＥリングという）７をローラ軸８から取り外すためのもので、平板状のホルダ１に取り付けたガイド２及びスペーサ３、圧縮スプリング４と、ホルダ１の基部を装着、保持する取手５からなる。
【００２６】
ホルダ１は、図３に示すように、ガイド２及びスペーサ３を搭載する平坦部１ａと取手５に取り付ける基部１ｂとからなる。平坦部１ａには、その先端両側を折り曲げ形成してＥリング７の装着開口７ａを形成する脚部７ｂに突き当てる当接部１ｃａ〜１ｃｄを形成してある。当接部１ｃａ〜１ｃｄは、種々のサイズのＥリング７の装着開口７ａに対応するサイズとなっている。また基部１ｂは、平坦部１ａ側が太い先細形状としてあり、取手５の中空部５ａ内へ差し込み固定できるようにしてある。また平坦部１ａには、ガイド２及びスペーサ３を取り付けるための段付きねじ６をねじ込むねじ穴１ｄが一対設けてあり、さらに基部１ｂ側には圧縮スプリング４を装着するための矩形の開口部１ｅが設けてある。開口部１ｅの基部側には、圧縮スプリング４の一端を嵌着するための突起１ｆが設けてある。なお当接部１ｃ間の部位１ｇは図示のように凹状に形成してあって、当接部１ｃをＥリング７の脚部７ｂに突き当てる際に干渉しないようにしてある。
【００２７】
ガイド２は、ホルダ１の平坦部より一回り小さい矩形で平板な基部２ａと、先端を凹状に形成したリムーバ部２ｂとからなり、基部２ａの略中央部には段付きねじ６と係合させるための細長い開口２ｃが設けてある。また基部２ａの基端には、ホルダ１の突起１ｆに対向させて圧縮スプリング４を取り付けるための突起２ｄが設けてある。リムーバ部２ｂは、ローラ軸８に取り付けたＥリング７の脚部７ｂ間、すなわち装着開口７ａ内にローラ軸８の軸線に対して垂直方向から挿入できるようにやや先細の平面形状としてあり、先端はローラ軸８に対して干渉しないように凹状に形成してある。
【００２８】
スペーサ３は、ガイド２と略同形状で若干長手方向寸法が短い基部３ａと、これもガイド２のリムーバ部２より若干短い寸法の先端部３ｂとからなり、基部３ｂの略中央部に、段付きねじ６と係合させるための細長い開口３ｃが設けてある。
【００２９】
取手５は、ホルダ１の基部１ａを４個差し込むために断面を略矩形とした中空部５ａを有する胴部５ｂと、胴部５ｂの先端側に設けた頭部５ｃとを段付きに形成してあり、胴部５ｂを握った操作者の手がホルダ１側へ滑り出ないようにしてある。また胴部５ｂには、ホルダ１を収納するためのホルダボックス部５ｄと、ガイド２を収納するためのガイドボックス部５ｅとが窪み状に設けてある。なお中空部５ａの具体的な断面形状は図示を省略するが、ルダ１の基部１ａを差し込んで保持するための、例えば溝部等を形成するとよい。もちろん、その他の構造でもよい。
【００３０】
図４は、本発明に係るＥ型止め輪除去工具の一実施例を示す分解斜視図である。本実施例のＥ型止め輪除去工具は、ホルダ１にガイドカバー部１０を備え、このガイドカバー部１０を利用して、除去したＥリング７を収納するボックス１１を全体として着脱可能に取り付けるようになっている。
【００３１】
ボックス１１は、詳細な図示は省略するが、内部を複数の収納部１１ａ・・・に仕切って区分してある。またボックス１１は、底面を平坦面としたとき、頂面が斜面となる外形を有しており、底面には蓋１１ｂを着脱可能に装着できるようになっている。もちろんこの蓋１１ｂは、収納部１１ａ内に保持されたＥリング７を取り除くためのものである。
【００３２】
ボックス１１の頂面には、頂面の傾斜角度に合わせて一対のガイド部１１ｃが設けてある。ガイド部１１ｃは、図示のように逆Ｌ字状のバー材で、ホルダ１のガイドカバー部１０内側に図中に矢印で示すように嵌合させてセットする。この構造により、ホルダ１に対してボックス１１を全体として着脱可能としてある。またガイド部１１ｃは、一方の端部にそれぞれ板バネ１１ｄを備えており、上述のようにガイドカバー部１０の内側にガイド部１１ｃを挿入すると、板バネ１１ｄがホルダ１をガイドカバー１０へ押し付けるように押し上げ付勢し、ホルダ１の位置を固定できる構成になっている。
【００３３】
またボックス１１の頂面には、板バネ１１ｄを設けた側と反対側の頂面端部付近にガイド穴１１ｅが形成してあり、これに落下防止ストッパ１２が着脱可能になっている。
【００３４】
落下防止ストッパ１２は、先端上部に折上げ形成したストッパ部１２ａ、それに連なる斜面部１２ｂ、斜面部１２ｂの下面に設けた板バネ１２ｃ、ボックス１１のガイド穴１１ｅ内へ挿入する基部１２ｄで構成した部材である。
【００３５】
基部１２ｄには、取り外し対象とするＥリング７のサイズに合わせて複数個の穴１２ｅが設けてある。穴１２ｅは、先端のストッパ部１２ａ側が小径で、順に径が大きくなっていき、取り外したＥリング７がサイズの小さいものから順に穴１２ｅへ落ち込むようになっている。なお穴１２ｅの間隔は、ボックス１１内部の収納部１１ａの区分に対応させてあり、先端の穴１２ｅへ入ったＥリング７は先端の収納部１１ａへ、次の穴１２ｅへ入ったものは次の収納部１１ａへ、とサイズによって収納される部位が異なるようにしてある。
【００３６】
なお、図示の実施例では収納部１１ａと穴１２ｅの数を３箇所ずつとしているが、本発明はこれに限定されない。
【００３７】
また落下防止ストッパ１２は、ボックス１１のガイド穴１１ｅに対して図中の矢印方向からセットし、板バネ１２ｃで固定できる構成になっており、固定した状態では、取り外したＥリング７が落下しないように適宜の傾斜角度をなすように形成してあり、取り外したＥリング７は上述のようにサイズごとに穴１２ｅから落下してボックス１１内部の収納部１１ａへと落下し、収納、保持される。
【００３８】
次にＥ型止め輪除去工具としての基本的な使用形態を説明する。組立ては以下の手順で行う。まずホルダ１の上にガイド２を載せ、その上にスペーサ３を載せ、２本の段付きネジ６を開口２ｃ、３ｃを通してホルダ１のネジ穴１ｄに締め付ける。次に、圧縮スプリング４をホルダ１の突起１ｆとガイド２の突起２ｄとの間にセットし、ガイド２をスライドさせることができるようにする。そしてホルダ１の１基部１ｂを取手５の胴部５ｂの中空部５ａに差し込む。これを４個のホルダ１についてそれぞれ行う。なおホルダ１やガイド２等が破損、摩耗等した場合には、段付きネジ６を外すだけで容易に交換できる。またＥリング７を取り外すときは、ローラ軸８に取り付けてあるＥリング７の装着開口７ａに対して適当なサイズとなる当接部を有するホルダ１（例えば当接部１ｃａを有するもの）を選択し、当接部１ｃａをガイド２のリムーバ部２ａの先端を挿入し、そのまま取手５をローラ軸８側へ押し付ける。すると、ホルダ１の当接部１ｃａがＥリング７の脚部７ｂに突き当たってホルダ１はそれ以上は移動できなくなるが、取手５をさらに押すことにより圧縮スプリング４がガイド２をローラ軸８側へ押し、先細のリムーバ部２ｂが十分にＥリング７の装着開口７ａ内へ入り込む。すると、Ｅリング７の脚部７ｂの間がリムーバ部２ｂによって若干押し広げられることにより、Ｅリング７は簡単にローラ軸８の環状溝８ａから取り外すことができるようになる。最終の取り外しは、操作者が手で行えばよい。すなわち、多くの種類のＥリング７について、ほとんどローラ軸８にＥ型止め輪除去工具を接触させることもなく、またＥリング７に対しても脚部７ｂの一部表面に接触するだけで、Ｅリング７取り外せるので、Ｅリング７やローラ軸８にストレスをほとんど与えず、したがって変形させたり傷めたりすることがない。したがって、ローラ軸８はもちろん、取り外したＥリング７を再使用することができる。
【００３９】
なお、一般的にＥリング７の装着開口７ａの形状は各サイズにおいて相似形であり、脚部７ｂの装着開口７ａをなす縁は各サイズにおいて一定の角度をなしている。したがって、上述のようによってそれに沿ったテ−パ形状、すなわち先細のリムーバ部２ｂとすることによりＥリング７のサイズごとに多数の種類のガイド２を用意する必要がなくなり、リムーバ部２ｂの形状としては１種類のみで多くのサイズのＥ型止め輪に対応可能となる。なおリムーバ部２ｂの先端はＥリング７をセットし得る各種サイズの軸部材の溝に装着可能な範囲内のガイド形状、例えば円弧形となっている。
【００４０】
軸部材を使用している機械内では一般的に機能の違いや部品の大小によりサイズの違うＥ型止め輪が多く使用されており、Ｅ型止め輪を除去するときにその都度ホルダ１とガイド２の組合せの交換を行うと作業効率が低下してしまうが、本実施例は、上述のようにＥリング７の異なる種々のサイズに対応できる。もちろん、さらに対応性を増すには、ホルダ１とガイド２を組み合わせて交換する手法を採用すればよい。取手５のホルダボックス部５ｄとガイドボックス部５ｅに交換用のホルダ１とガイド２を収納できるので、上述のような手法の実行が簡単に行える。単にホルダ１とガイド２の組合せを交換して対応するよりも作業効率の向上が図られる。
【図面の簡単な説明】
【００４１】
【図１】本発明の実施対象となるＥ型止め輪除去工具の一例の基本構造を示す平面図（Ａ）、ホルダ、ガイド及びスペーサの部分の側面図（Ｂ）及びガイド先端の正面図（Ｃ）
【図２】先端部分の拡大平面図
【図３】ホルダ、ガイド、スペーサ及び取手の分解平面部分断面図
【図４】本発明に係るＥ型止め輪除去工具の一実施例を示す分解斜視図
【図５】本発明に係るＥ型止め輪除去工具の一実施例の外観を示す斜視図
【符号の説明】
【００４２】
１：ホルダ
１ａ：ホルダの平坦部
１ｂ：同基部
１ｃ：同当接部
１ｄ：同ねじ穴
１ｅ：同開口部
１ｆ：同突起
１ｇ：同当接部間の部位
２：ガイド
２ａ：ガイドの基部
２ｂ：同リムーバ部
２ｃ：同開口
２ｄ：同突起
３：スペーサ
３ａ：スペーサの基部
３ｂ：同先端部
３ｃ：同開口
４：圧縮スプリング
５：取手
５ａ：取手の中空部
５ｂ：同胴部
５ｃ：同頭部
５ｄ：同ホルダボックス部
５ｅ：同ガイドボックス部
６：段付きねじ
７：Ｅリング
７ａ：Ｅリングの装着開口
７ｂ：脚部
８：ローラ軸
８ａ：ローラ軸の環状溝
９：アタッチメント
９ａ：固定用のボス
１０：ガイドカバー部
１１：ボックス
１１ａ：収納部
１１ｂ：蓋
１１ｃ：ガイド部
１１ｄ：板バネ
１１ｅ：ガイド穴
１２：落下防止ストッパ
１２ａ：ストッパ部
１２ｂ：斜面部
１２ｃ：板バネ
１２ｄ：基部
１２ｅ：穴
【図１】
2006055959.tif 000003
【図３】
2006055959.tif 000004
【図２】
2006055959.tif 000005
【図４】
2006055959.tif 000006
【図５】
2006055959.tif 000007